(57)【要約】【課題】ＦＰＣ基板に加わる応力を小さくする。【解決手段】湾曲型表示装置２００は、方向Ｄｒ１に沿って湾曲している表示パネル１００と、表示パネル１００の駆動に使用されるＦＰＣ基板２０とを備える。ＦＰＣ基板２０は、表示パネル１００のうち、湾曲辺側に接続されている。ＦＰＣ基板２０には、当該ＦＰＣ基板２０に加わる応力を小さくするスリットＳＬ１が設けられている。【選択図】図１
2019152809.tif 000002
【特許請求の範囲】
【請求項１】
第１方向に沿って湾曲している表示パネルと、
前記表示パネルの駆動に使用されるＦＰＣ（Flexible Printed Circuits）基板とを備え、
前記表示パネルは、当該表示パネルの輪郭に含まれる辺であって、かつ、前記第１方向に沿って湾曲している辺である湾曲辺を有し、
前記ＦＰＣ基板は、前記表示パネルのうち、前記湾曲辺側に接続されており、
前記ＦＰＣ基板には、当該ＦＰＣ基板に加わる応力を小さくするスリットが設けられている
湾曲型表示装置。
【請求項２】
前記スリットは、前記第１方向における、前記ＦＰＣ基板の中央部に設けられている
請求項１に記載の湾曲型表示装置。
【請求項３】
前記ＦＰＣ基板は、平面視において前記第１方向と直交する第２方向と交差する第１端部および第２端部を有し、
前記第１端部は、前記表示パネルに接続されており、
前記第１端部には、端子部が設けられており、
前記第２端部は、回路基板に接続されており、
前記スリットは、前記端子部から前記第２端部まで延在している
請求項１または２に記載の湾曲型表示装置。
【請求項４】
前記端子部は、信号を伝達する機能を有さないダミー端子を有し、
前記第２方向において、前記ダミー端子は前記スリットと隣接している
請求項３に記載の湾曲型表示装置。
【請求項５】
前記端子部は、さらに、信号を伝達するための信号端子を有し、
前記第２方向における、前記ダミー端子の長さは、当該第２方向における、前記信号端子の長さの半分以下である
請求項４に記載の湾曲型表示装置。
【請求項６】
前記ＦＰＣ基板は、前記第２方向に沿って湾曲しており、
前記第２方向における、前記ＦＰＣ基板の中央部には、前記第１方向に延在する別のスリットが設けられている
請求項１から５のいずれか１項に記載の湾曲型表示装置。
【請求項７】
前記ＦＰＣ基板は、前記第１方向に沿って湾曲しており、
前記ＦＰＣ基板は、平面視において前記第１方向と直交する第２方向と交差する第１端部および第２端部を有し、
平面視において前記第１端部が前記第２端部と重なるように、前記ＦＰＣ基板は、さらに、前記第２方向に沿って湾曲している
請求項１から６のいずれか１項に記載の湾曲型表示装置。
【請求項８】
前記表示パネルは、表面および裏面を有し、
前記ＦＰＣ基板は、平面視において前記第１方向と直交する第２方向と交差する第１端部および第２端部を有し、
前記第１端部は、前記表示パネルの前記表面に接続されており、
前記第２端部が前記表示パネルの前記裏面側に存在するように、前記ＦＰＣ基板は前記第２方向に沿って湾曲している
請求項１から７のいずれか１項に記載の湾曲型表示装置。
【請求項９】
前記ＦＰＣ基板は、平面視において前記第１方向と直交する第２方向と交差する第１端部および第２端部を有し、
前記第２端部には、別の端子部が設けられており、
前記別の端子部は、コネクタにより、回路基板に接続されている
請求項１から８のいずれか１項に記載の湾曲型表示装置。
【請求項１０】
前記湾曲型表示装置は、前記ＦＰＣ基板を含む複数のＦＰＣ基板を備え、
前記複数のＦＰＣ基板の各々の外形は、同一であり、
前記複数のＦＰＣ基板の各々の形状は、矩形である
請求項１から９のいずれか１項に記載の湾曲型表示装置。
【発明の詳細な説明】
【技術分野】
【０００１】
本発明は、湾曲した表示パネルを含む湾曲型表示装置に関する。
【背景技術】
【０００２】
近年では、湾曲した表示パネルを含む湾曲型表示装置が開発されている。特許文献１では、湾曲した表示パネルにおける湾曲した辺に、複数のＦＰＣ（Flexible Printed Circuits）基板が接続された構成（以下、「関連構成Ａ」ともいう）が開示されている。
【先行技術文献】
【特許文献】
【０００３】
【特許文献１】特開２０１０−００８４７９号公報
【発明の概要】
【発明が解決しようとする課題】
【０００４】
表示パネルにおける湾曲した辺にＦＰＣ基板を接続した構成では、当該ＦＰＣ基板に応力が加わる。ＦＰＣ基板に加わる応力が大きい場合、当該ＦＰＣ基板に不具合が発生する可能性がある。そこで、ＦＰＣ基板に加わる応力を小さくすることが要求される。関連構成Ａは、ＦＰＣ基板に接続される基板（プリント配線基板）に加わる応力を小さくする構成であるため、当該要求を満たすことはできない。
【０００５】
本発明は、このような問題を解決するためになされたものであり、ＦＰＣ基板に加わる応力を小さくすることが可能な湾曲型表示装置を提供することを目的とする。
【課題を解決するための手段】
【０００６】
上記目的を達成するために、本発明の一態様に係る湾曲型表示装置は、第１方向に沿って湾曲している表示パネルと、前記表示パネルの駆動に使用されるＦＰＣ（Flexible Printed Circuits）基板とを備え、前記表示パネルは、当該表示パネルの輪郭に含まれる辺であって、かつ、前記第１方向に沿って湾曲している辺である湾曲辺を有し、前記ＦＰＣ基板は、前記表示パネルのうち、前記湾曲辺側に接続されており、前記ＦＰＣ基板には、当該ＦＰＣ基板に加わる応力を小さくするスリットが設けられている。
【発明の効果】
【０００７】
本発明によれば、前記ＦＰＣ基板は、前記表示パネルのうち、前記湾曲辺側に接続されている。前記ＦＰＣ基板には、当該ＦＰＣ基板に加わる応力を小さくするスリットが設けられている。これにより、ＦＰＣ基板に加わる応力を小さくすることができる。
【図面の簡単な説明】
【０００８】
【図１】実施の形態１に係る湾曲型表示装置の構成を示す図である。
【図２】実施の形態１に係る表示パネルの平面図である。
【図３】実施の形態１に係るＦＰＣ基板の構成を説明するための図である。
【図４】実施の形態１に係るダミー端子を説明するための図である。
【図５】湾曲状態のＦＰＣ基板に加わる応力を説明するための図である。
【図６】ダミー端子に加わる応力を説明するための図である。
【図７】変形例１に係るＦＰＣ基板の構成を説明するための図である。
【図８】ＦＰＣ基板に加わる応力を説明するための図である。
【図９】比較例としての湾曲型表示装置の構成を示す図である。
【図１０】比較例としての湾曲型表示装置の別の構成を示す図である。
【図１１】比較例としてのＦＰＣ基板の構成を示す図である。
【発明を実施するための形態】
【０００９】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１０】
なお、実施の形態において例示される各構成要素の寸法、材質、形状、当該各構成要素の相対配置などは、本発明が適用される装置の構成、各種条件等により適宜変更されてもよい。また、各図における各構成要素の寸法は、実際の寸法と異なる場合がある。
【００１１】
＜実施の形態１＞
図１は、実施の形態１に係る湾曲型表示装置２００の構成を示す図である。湾曲型表示装置２００は、例えば、液晶を使用して動作する液晶表示装置である。
【００１２】
図１を参照して、湾曲型表示装置２００は、表示パネル１００と、回路基板３０と、複数のＦＰＣ基板２０とを備える。なお、図１では、一例として、３個のＦＰＣ基板２０が示されている。なお、湾曲型表示装置２００が備えるＦＰＣ基板２０の数は、３に限定されず、１、２または４以上であってもよい。なお、図１では、ＦＰＣ基板２０が簡略化して示されている。
【００１３】
表示パネル１００は、例えば、液晶を使用して映像を表示する液晶パネルである。表示パネル１００は、例えば、ＣＯＧ（Chip on Glass）型のパネルである。なお、表示パネル１００は、ＣＯＧ型以外の方式のパネルであってもよい。
【００１４】
図２は、実施の形態１に係る表示パネル１００の平面図である。図２において、Ｘ方向、Ｙ方向およびＺ方向は、互いに直交する。以下の図に示されるＸ方向、Ｙ方向およびＺ方向も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１５】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１６】
図１および図２を参照して、表示パネル１００は、表面１００ａおよび裏面１００ｂを有する。なお、表示パネル１００の表面１００ａ側および裏面１００ｂ側には、ガラスが設けられている。
【００１７】
表示パネル１００は、方向Ｄｒ１に沿って湾曲している。本実施の形態では、方向Ｄｒ１はＸ軸方向である。以下においては、平面視（ＸＹ面）において方向Ｄｒ１と直交する方向を、「方向Ｄｒ２」ともいう。本実施の形態では、方向Ｄｒ２はＹ軸方向である。
【００１８】
表示パネル１００の輪郭Ｌｎ１の形状は、矩形である。輪郭Ｌｎ１は、辺Ｓ１ａ，Ｓ２ａ，Ｓ３ｂ，Ｓ４ｂを含む。辺Ｓ１ａ，Ｓ２ａの各々は、方向Ｄｒ１に沿って湾曲している。
【００１９】
以下においては、辺Ｓ１ａおよび辺Ｓ２ａの各々を、「湾曲辺」ともいう。表示パネル１００は、湾曲辺（辺Ｓ１ａ，Ｓ２ａ）を有する。また、以下においては、湾曲していない辺を、「非湾曲辺」ともいう。辺Ｓ３ｂおよび辺Ｓ４ｂの各々は、非湾曲辺である。
【００２０】
各ＦＰＣ基板２０は、可撓性を有する。以下においては、ＦＰＣ基板２０が方向Ｄｒ１に沿って湾曲している場合における、当該ＦＰＣ基板２０の状態を、「湾曲状態」ともいう。湾曲状態のＦＰＣ基板２０には応力（曲げ応力）が加わる。また、以下においては、ＦＰＣ基板２０が湾曲していない場合における、当該ＦＰＣ基板２０の状態を、「非湾曲状態」ともいう。
【００２１】
非湾曲状態の複数のＦＰＣ基板２０の各々の外形は、同一である。また、平面視（ＸＹ面）における、複数のＦＰＣ基板２０の各々の形状は、矩形（長方形）である。
【００２２】
各ＦＰＣ基板２０は、表示パネル１００および回路基板３０に接続されている。なお、各ＦＰＣ基板２０は、表示パネル１００のうち、湾曲辺（辺Ｓ２ａ）側に接続されている。そのため、各ＦＰＣ基板２０は、方向Ｄｒ１に沿って湾曲している。
【００２３】
なお、各ＦＰＣ基板２０と、表示パネル１００との接続には、ＡＣＦ（Anisotropic Conductive Film）が使用される。各ＦＰＣ基板２０は、表示パネル１００に実装されたドライバＩＣ（図示せず）と接続されている。
【００２４】
回路基板３０は、各ＦＰＣ基板２０を介して、表示パネル１００を駆動させる機能を有する。そのため、各ＦＰＣ基板２０は、表示パネル１００の駆動に使用される基板である。回路基板３０には、コネクタ（図示せず）が設けられている。
【００２５】
図３は、実施の形態１に係るＦＰＣ基板２０の構成を説明するための図である。なお、図３は、非湾曲状態のＦＰＣ基板２０が示されている。図３（ａ）は、ＦＰＣ基板２０の平面図である。図３（ｂ）は、ＦＰＣ基板２０の側面図である。
【００２６】
ＦＰＣ基板２０は、幅ｂ、長さＬおよび厚みｈを有する。ＦＰＣ基板２０は、方向Ｄｒ２と交差する端部Ｅ１および端部Ｅ２を有する。端部Ｅ１には、端子部Ｔｍ１が設けられている。端子部Ｔｍ１（端部Ｅ１）は、ＡＣＦにより、表示パネル１００の表面１００ａに接続されている。
【００２７】
端部Ｅ２には、端子部Ｔｍ２が設けられている。端子部Ｔｍ２（端部Ｅ２）は、回路基板３０に接続されている。具体的には、端子部Ｔｍ２は、回路基板３０のコネクタ（図示せず）に接続されている。そのため、端子部Ｔｍ２は、コネクタにより、回路基板３０に接続されている。なお、端子部Ｔｍ２は、配線（図示せず）により、端子部Ｔｍ１と電気的に接続されている。これにより、制御信号、電圧信号等の信号が、回路基板３０から、ＦＰＣ基板２０を介して、表示パネル１００に供給される。
【００２８】
ＦＰＣ基板２０には、ｋ個のスリットＳＬ１が設けられている。「ｋ」は、１以上の自然数である。本実施の形態では、「ｋ」は、一例として、５である。図３（ａ）では、一例として、５個のスリットＳＬ１が示されている。なお、ＦＰＣ基板２０が有するスリットＳＬ１の数は、５に限定されず、１から４、または、６以上であってもよい。
【００２９】
各スリットＳＬ１は、長尺状の貫通孔である。各スリットＳＬ１は、端子部Ｔｍ１から端部Ｅ２（端子部Ｔｍ２）まで延在している。なお、各スリットＳＬ１の一方の端部は、端子部Ｔｍ１の内部まで延在している。
【００３０】
なお、ｋ個のスリットＳＬ１に含まれる１個のスリットＳＬ１は、方向Ｄｒ１における、ＦＰＣ基板２０の中央部（位置Ｌｃ１）に設けられている。方向Ｄｒ１における、ＦＰＣ基板２０の左端から位置Ｌｃ１までの長さは、ｂ／２である。
【００３１】
また、端子部Ｔｍ１は、ｋ個のダミー端子Ｔｍｄと、複数の信号端子Ｔｍｓとを有する。方向Ｄｒ１において、ダミー端子Ｔｍｄおよび信号端子Ｔｍｓは、交互に設けられている。信号端子Ｔｍｓは、信号を伝達するための端子である。
【００３２】
各ダミー端子Ｔｍｄは、制御信号、電圧信号等の信号を伝達する機能を有さない端子である。ダミー端子Ｔｍｄは、例えば、絶縁物で構成されている。方向Ｄｒ２において、ｋ個のダミー端子Ｔｍｄは、それぞれ、ｋ個のスリットＳＬ１と隣接している。
【００３３】
図４は、実施の形態１に係るダミー端子Ｔｍｄを説明するための図である。図４は、図３（ａ）の一部を拡大した図である。図４を参照して、方向Ｄｒ２における、ダミー端子Ｔｍｄの長さｙ１は、方向Ｄｒ２における、信号端子Ｔｍｓの長さｙ２の半分以下である。ダミー端子Ｔｍｄの幅Ｓは、スリットＳＬ１の幅と同じである。
【００３４】
なお、湾曲状態のＦＰＣ基板２０に加わる応力（曲げ応力）は、ＦＰＣ基板２０の幅に比例する。そのため、図３（ａ）のようにＦＰＣ基板２０にスリットＳＬ１を設けることにより、湾曲状態のＦＰＣ基板２０に加わる応力を小さくすることができる。
【００３５】
さらに、ＦＰＣ基板２０の幅ｂを十分な長さに設定した場合の本実施の形態の構成は、分割された複数のＦＰＣ基板を実装するような従来の構成と比較して、実装制約および実装時間は同等である。
【００３６】
なお、ＦＰＣ基板２０におけるスリットＳＬ１の数を多くするほど、湾曲状態のＦＰＣ基板２０において、端子部Ｔｍ１が有する複数の信号端子Ｔｍｓに加わる応力を小さくすることができる。
【００３７】
また、ＦＰＣ基板２０におけるダミー端子Ｔｍｄの長さｙ１を短くするほど、湾曲状態のＦＰＣ基板２０において、端子部Ｔｍ１が有する複数の信号端子Ｔｍｓに加わる応力を小さくすることができる。
【００３８】
ここで、端子部Ｔｍ１に加わる応力について説明する。以下においては、スリットＳＬ１を有さないＦＰＣ基板を、「ＦＰＣ基板２０Ｎ」ともいう。ＦＰＣ基板２０Ｎは、ＦＰＣ基板２０と比較して、スリットＳＬ１を有さない点のみが異なる。
【００３９】
仮に、湾曲していない表示パネルにＦＰＣ基板２０Ｎが接続された場合、端子部Ｔｍ１に加わる応力は、ほぼゼロである。しかし、曲率Ｒを有する、湾曲した表示パネルの湾曲辺側にＦＰＣ基板２０Ｎが接続された場合、図８（ａ）のように、ＦＰＣ基板２０Ｎは湾曲する。この場合、端子部Ｔｍ１のうち、異なる複数の領域の反り量は、異なる。反り量とは、反り（湾曲）の度合いである。
【００４０】
図８（ａ）は、湾曲状態のＦＰＣ基板２０Ｎを示す図である。図８（ｂ）は、湾曲状態のＦＰＣ基板２０Ｎの側面図である。図８（ｃ）は、非湾曲状態のＦＰＣ基板２０Ｎの側面図である。以下においては、ＦＰＣ基板２０Ｎが有する最大の反り量を、「反り量δ」または「δ」と表記する。反り量δは、図８（ｂ）のように、ＦＰＣ基板２０Ｎの中央から、ＦＰＣ基板２０Ｎの端までにおける反り量である。ここで、ＦＰＣ基板２０Ｎが、幅ｂ、長さＬおよび厚みｈを有すると仮定する。この場合、湾曲状態のＦＰＣ基板２０Ｎに加わる応力σは、以下の式１により算出することができる。
【００４１】
【数１】
2019152809.tif 000003
【００４２】
式１において、Ｅはヤング率である。また、曲率Ｒを有するＦＰＣ基板２０Ｎの反り量δは、以下の式２により算出することができる。
【００４３】
【数２】
2019152809.tif 000004
【００４４】
曲率Ｒが小さくなり、ｂが大きくなると、反り量δは大きくなる。また、反り量δが大きいほど、応力σは大きくなる。
【００４５】
応力σを、ＡＣＦにより表示パネル１００に接続された端子部Ｔｍ１の保持力（密着力）以下にすることにより、ＦＰＣ基板が表示パネル１００から剥がれ難くなる。そこで、ＦＰＣ基板の幅ｂ、長さＬおよび厚みｈを最適な値に設定することにより、信号の伝達効率の向上、低コスト化等を実現したＦＰＣ基板を得ることができる。
【００４６】
以下においては、湾曲状態のＦＰＣ基板２０Ｎに加わる応力σを、「応力σｎ」または「σｎ」ともいう。
【００４７】
ここで、以下の前提Ｐｍ１を考慮する。前提Ｐｍ１では、図１の湾曲型表示装置２００に含まれる表示パネル１００は曲率Ｒを有する。すなわち、前提Ｐｍ１では、複数のＦＰＣ基板２０が、曲率Ｒを有する表示パネル１００のうち、湾曲辺（辺Ｓ２ａ）側に接続されている。
【００４８】
次に、前提Ｐｍ１におけるＦＰＣ基板２０について、図５を用いて説明する。図５は、前提Ｐｍ１におけるＦＰＣ基板２０に加わる応力を説明するための図である。図５（ａ）は、湾曲状態のＦＰＣ基板２０を示す図である。図５（ｂ）は、図５（ａ）のＦＰＣ基板２０の側面図である。
【００４９】
ＦＰＣ基板２０は、領域Ｒｇａ，Ｒｇｂ，Ｒｇｃ，Ｒｇｄ，Ｒｇｅ，Ｒｇｆを有する。５個のスリットＳＬ１に含まれる隣接する２つのスリットＳＬ１の間に相当する、ＦＰＣ基板２０の一部の幅は、幅ｂ１，ｂ２，ｂ３，ｂ４，ｂ５，ｂ６のいずれかである。５個のスリットＳＬ１は、それぞれ、幅ｓ１，ｓ２，ｓ３，ｓ４，ｓ５，ｓ６を有する。
【００５０】
以下においては、領域Ｒｇａ内の端子部Ｔｍ１に加わる応力を、「応力σａ」または「σａ」と表記する。また、以下においては、領域Ｒｇａ内の端子部Ｔｍ１の反り量を、「反り量δａ」または「δａ」と表記する。応力σａは、以下の式３により算出することができる。
【００５１】
【数３】
2019152809.tif 000005
【００５２】
なお、式３のδａは、式２から得られる値である。また、領域Ｒｇｂ，Ｒｇｃ，Ｒｇｄ，Ｒｇｅ，Ｒｇｆの各々に加わる応力も、応力σａを算出するための式３と同様な式により算出できる。
【００５３】
また、ＦＰＣ基板２０の反り量δは、ＦＰＣ基板２０Ｎの反り量δより小さい。ＦＰＣ基板２０にｋ個のスリットＳＬ１を設けたことにより、領域Ｒｇａ，Ｒｇｂ，Ｒｇｃ，Ｒｇｄ，Ｒｇｅ，Ｒｇｆの各々に加わる応力は、ＦＰＣ基板２０Ｎに加わる応力σｎよりも、十分に小さい。すなわち、各スリットＳＬ１は、ＦＰＣ基板２０に加わる応力を小さくする構成要素である。
【００５４】
次に、ＦＰＣ基板２０のうち、スリットＳＬ１と隣接する部分であるダミー端子Ｔｍｄに加わる応力について説明する。図６は、ダミー端子Ｔｍｄに加わる応力を説明するための図である。図６（ａ）は、図５（ａ）のＦＰＣ基板２０の一部を示す図である。図６（ｂ）は、非湾曲状態のＦＰＣ基板２０の側面図である。図６（ｃ）は、図６（ａ）のＦＰＣ基板２０の側面図である。
【００５５】
以下においては、スリットＳＬ１の幅を、「ｓ」と表記する。また、以下においては、隣接する２つのスリットＳＬ１の間隔を、「Ｄ」と表記する。また、以下においては、ダミー端子Ｔｍｄに加わる応力を、「応力σｓ」または「σｓ」と表記する。また、以下においては、ダミー端子Ｔｍｄの反り量を、「反り量δ２」または「δ２」と表記する。応力σｓは、以下の式４により算出することができる。
【００５６】
【数４】
2019152809.tif 000006
【００５７】
ＦＰＣ基板２０にスリットＳＬ１を設けたことにより、反り量δ２は、ＦＰＣ基板２０Ｎのダミー端子Ｔｍｄの反り量より小さい。そのため、応力σｓは、ＦＰＣ基板２０Ｎのダミー端子Ｔｍｄに加わる応力より小さい。
【００５８】
なお、ｙ１の値は小さいほど、応力σｓが大きくなる。そこで、応力σｓがダミー端子Ｔｍｄの密着力（保持力）以下になるように、式４のパラメータを設定することにより、当該応力σｓを小さくすることが可能である。
【００５９】
以上説明したように、本実施の形態によれば、ＦＰＣ基板２０は、表示パネル１００のうち、湾曲辺（辺Ｓ２ａ）側に接続されている。ＦＰＣ基板２０には、当該ＦＰＣ基板２０に加わる応力を小さくするスリットＳＬ１が設けられている。これにより、ＦＰＣ基板に加わる応力を小さくすることができる。
【００６０】
また、ＦＰＣ基板２０にスリットＳＬ１が存在することにより、湾曲状態のＦＰＣ基板２０に加わる応力を小さくすることができる。そのため、湾曲状態のＦＰＣ基板２０において不具合が発生することを抑制することができる。当該不具合は、例えば、ＦＰＣ基板２０が、表示パネル１００から剥がれるという不具合である。また、当該不具合は、例えば、ＦＰＣ基板２０の配線が切れるという不具合である。
【００６１】
また、本実施の形態によれば、各スリットＳＬ１の一方の端部は、端子部Ｔｍ１の内部まで延在している。これにより、湾曲状態のＦＰＣ基板２０の端子部Ｔｍ１に加わる応力を小さくすることができる。これにより、端子部Ｔｍ１において断線等が発生することを抑制することができる。
【００６２】
また、本実施の形態によれば、図３（ａ）のように、各スリットＳＬ１は、端子部Ｔｍ１から端部Ｅ２（端子部Ｔｍ２）まで延在している。そのため、本実施の形態の構成は、分割された複数のＦＰＣ基板を実装するような従来の構成と比較して、実装制約および実装時間は同等である。
【００６３】
また、本実施の形態によれば、複数のＦＰＣ基板２０の各々の外形は、同一である。これにより、湾曲型表示装置のコストを低減することができる。
【００６４】
ここで、本実施の形態の比較の対象となる比較例について説明する。以下においては、比較例における湾曲型表示装置を、「湾曲型表示装置Ｊ１」ともいう。図９は、比較例としての湾曲型表示装置Ｊ１の構成を示す図である。湾曲型表示装置Ｊ１は、湾曲型表示装置２００と比較して、複数のＦＰＣ基板２０の代わりに複数のＦＰＣ基板２０Ｎを備える点のみが異なる。湾曲型表示装置Ｊ１のそれ以外の構成は、湾曲型表示装置２００と同様なので詳細な説明は繰り返さない。
【００６５】
図９の湾曲型表示装置Ｊ１では、複数のＦＰＣ基板２０Ｎが、表示パネル１００のうち、非湾曲辺（辺Ｓ４ｂ）側に接続されている。図９の構成では、表示パネル１００に接続されたＦＰＣ基板２０Ｎには、応力（曲げ応力）はほとんど加わらない。
【００６６】
図１０は、比較例としての湾曲型表示装置Ｊ１の別の構成を示す図である。図１０の湾曲型表示装置Ｊ１では、複数のＦＰＣ基板２０Ｎは、表示パネル１００のうち、湾曲辺（辺Ｓ２ａ）側に接続されている。各ＦＰＣ基板２０Ｎは、図８に示す構成および形状を有する。なお、図１０の回路基板３０は湾曲している。
【００６７】
また、各ＦＰＣ基板２０Ｎは湾曲しているため、当該各ＦＰＣ基板２０Ｎには応力が加わっている。そこで、各ＦＰＣ基板２０Ｎに加わる応力が小さくなるように、各ＦＰＣ基板２０Ｎの外形を異なる形状にする技術（以下、「関連技術Ａｒ１」ともいう）が存在する。
【００６８】
図１１は、比較例としてのＦＰＣ基板２０Ｊの構成を示す図である。ＦＰＣ基板２０Ｊには、端子部Ｔｍ１ｎが設けられている。端子部Ｔｍ１ｎは、表示パネルに接続される。ＦＰＣ基板２０Ｊのうち、端子部Ｔｍ１ｎが存在する端部には、スリットＳＬｎが設けられている。このＦＰＣ基板２０Ｊは、各端子ブロック毎に表示パネルに接続される。なお、複数のＦＰＣ基板２０Ｊを、一括して、表示パネルに接続する場合、複数のＦＰＣ基板２０Ｊが接続される箇所が、所望の箇所からずれる可能性があるという問題がある。
【００６９】
図１０の湾曲型表示装置Ｊ１のように、ＦＰＣ基板２０Ｎが表示パネル１００の湾曲辺側に接続された場合、当該ＦＰＣ基板２０Ｎは方向Ｄｒ１に沿って湾曲する。これにより、ＦＰＣ基板２０Ｎに応力が加わる。なお、表示パネル１００の曲率が小さい程、当該ＦＰＣ基板２０Ｎに加わる応力は大きい。ＦＰＣ基板２０Ｎに大きな応力が加わった場合、ＦＰＣ基板２０Ｎの端子部Ｔｍ１が、表示パネル１００から剥がれる可能性がある。
【００７０】
また、湾曲したＦＰＣ基板２０Ｎは、必要に応じて、方向Ｄｒ２に沿って湾曲させることが要求される場合もある。例えば、平面視（ＸＹ面）において端部Ｅ１が端部Ｅ２と重なるように、当該ＦＰＣ基板２０Ｎが方向Ｄｒ２に沿って湾曲した場合、ＦＰＣ基板２０Ｎの湾曲部に大きな応力が加わる。
【００７１】
この場合、以下の不具合Ｎが発生する可能性があるという問題がある。不具合Ｎは、例えば、ＦＰＣ基板２０Ｎの配線が切れるという不具合である。また、不具合Ｎは、例えば、端子部Ｔｍ１が表示パネル１００から剥がれるという不具合である。
【００７２】
なお、関連技術Ａｒ１のように、各ＦＰＣ基板２０Ｎに加わる応力が小さくなるように、各ＦＰＣ基板２０Ｎの外形を異なる形状にする構成も考えられる。しかしながら、関連技術Ａｒ１による構成は、コストが高いという問題がある。
【００７３】
また、ＦＰＣ基板２０Ｎを複数に分割して、当該ＦＰＣ基板２０Ｎに加わる応力を小さくする手法も存在する。しかしながら、当該手法では、ＦＰＣ基板２０Ｎを表示パネルに接続する際に制約が生じる問題、接続に要する時間がかかるという問題等がある。
【００７４】
そこで、本実施の形態の湾曲型表示装置２００は、上記の効果を奏するための構成を有する。そのため、上記の各問題を解決することができる。
【００７５】
＜変形例１＞
以下においては、実施の形態１の構成を、「構成Ｃｔ１」ともいう。また、以下においては、本変形例の構成を「構成Ｃｔｍ１」ともいう。構成Ｃｔｍ１は、ＦＰＣ基板２０に、スリットＳＬ２をさらに設けた構成である。スリットＳＬ２は、方向Ｄｒ１に延在するスリットである。構成Ｃｔｍ１は、構成Ｃｔ１（実施の形態１）に適用される。
【００７６】
図７は、変形例１に係るＦＰＣ基板２０の構成を説明するための図である。図７（ａ）は、湾曲状態のＦＰＣ基板２０の平面図である。図７（ｂ）は、湾曲状態のＦＰＣ基板２０の側面図である。図７（ｃ）は、非湾曲状態のＦＰＣ基板２０の側面図である。ＦＰＣ基板２０は、表面２０ａと裏面２０ｂとを有する。
【００７７】
ここで、以下の前提Ｐｍ２を考慮する。前提Ｐｍ２では、平面視（ＸＹ面）において端部Ｅ１が端部Ｅ２と重なるように、湾曲状態のＦＰＣ基板２０を方向Ｄｒ２に沿って湾曲させる。具体的には、平面視（ＸＹ面）において端部Ｅ１が端部Ｅ２の上方に存在するように、湾曲状態のＦＰＣ基板２０を方向Ｄｒ２に沿って湾曲させる。なお、前提Ｐｍ２では、位置Ｌｃ２が湾曲の中心となるように、ＦＰＣ基板２０を湾曲させる。
【００７８】
また、前提Ｐｍ２では、湾曲状態のＦＰＣ基板２０の表面２０ａに、方向Ｄｒ１に沿った力Ｐｗ１ａ、および、方向Ｄｒ２に沿った力Ｐｗ１ｂが、応力として加わる。力Ｐｗ１ａは、方向Ｄｒ１において、表面２０ａを縮ませる力である。力Ｐｗ１ｂは、方向Ｄｒ２において、表面２０ａを伸ばす力である。
【００７９】
また、前提Ｐｍ２では、湾曲状態のＦＰＣ基板２０の裏面２０ｂに、方向Ｄｒ１に沿った力Ｐｗ２ａ、および、方向Ｄｒ２に沿った力Ｐｗ２ｂが、応力として加わる。力Ｐｗ２ａは、方向Ｄｒ１において、裏面２０ｂを伸ばす力である。力Ｐｗ２ｂは、方向Ｄｒ２において、裏面２０ｂを縮ませる力である。
【００８０】
前提Ｐｍ２における構成Ｃｔｍ１では、平面視（ＸＹ面）において端部Ｅ１が端部Ｅ２と重なるように、湾曲状態のＦＰＣ基板２０は、さらに、方向Ｄｒ２に沿って湾曲している。湾曲状態のＦＰＣ基板２０とは、方向Ｄｒ１に沿って湾曲しているＦＰＣ基板２０である。
【００８１】
また、前提Ｐｍ２における構成Ｃｔｍ１では、ＦＰＣ基板２０の端部Ｅ２が、表示パネル１００の裏面１００ｂ側に存在するように、ＦＰＣ基板２０は方向Ｄｒ２に沿って湾曲している。
【００８２】
以下においては、平面視において端部Ｅ１が端部Ｅ２と重なるように、ＦＰＣ基板２０が方向Ｄｒ２に沿って湾曲している場合における、当該ＦＰＣ基板２０の状態を、「湾曲状態Ｗ」ともいう。
【００８３】
構成Ｃｔｍ１では、湾曲状態ＷのＦＰＣ基板２０に加わる応力（力Ｐｗ１ｂ，Ｐｗ２ｂ）を小さくするために、ＦＰＣ基板２０にスリットＳＬ２が設けられている。具体的には、構成Ｃｔｍ１では、方向Ｄｒ２における、ＦＰＣ基板２０の中央部（位置Ｌｃ２）には、スリットＳＬ２が設けられている。なお、スリットＳＬ２は、図７（ａ）のように、方向Ｄｒ２における、ＦＰＣ基板２０の中央部（位置Ｌｃ２）以外の位置にさらに設けられてもよい。
【００８４】
以下においては、ＦＰＣ基板２０のｋ個のスリットＳＬ１のうち、当該ＦＰＣ基板２０の左端に最も近いスリットＳＬ１を、「スリットＳＬ１ａ」ともいう。また、以下においては、ＦＰＣ基板２０のｋ個のスリットＳＬ１のうち、当該ＦＰＣ基板２０の右端に最も近いスリットＳＬ１を、「スリットＳＬ１ｂ」ともいう。
【００８５】
構成Ｃｔｍ１では、スリットＳＬ２は、当該スリットＳＬ２がスリットＳＬ１ａに接続されるように、設けられる。また、構成Ｃｔｍ１では、スリットＳＬ２は、当該スリットＳＬ２がスリットＳＬ１ｂに接続されるように、設けられる。
【００８６】
以上説明したように、本変形例によれば、方向Ｄｒ２における、ＦＰＣ基板２０の中央部（位置Ｌｃ２）には、スリットＳＬ２が設けられる。これにより、湾曲状態ＷのＦＰＣ基板２０に加わる応力（力Ｐｗ１ｂ，Ｐｗ２ｂ）を小さくすることができる。
【００８７】
なお、ｋ個のスリットＳＬ１のうち、スリットＳＬ１ａ，ＳＬ１ｂ以外のスリットＳＬ１ａに対しても、スリットＳＬ２を設けてもよい。なお、ＦＰＣ基板２０に設けるスリットＳＬ２の数を増やすことにより、応力（力Ｐｗ１ｂ，Ｐｗ２ｂ）をさらに小さくすることができる。
【００８８】
なお、本発明は、その発明の範囲内において、実施の形態、変形例を自由に組み合わせたり、実施の形態、変形例を適宜、変形、省略することが可能である。
【００８９】
例えば、表示パネル１００は、液晶パネルに限定されず、可撓性を有する他の方式のパネルであってもよい。表示パネル１００は、例えば、有機ＥＬ（Electroluminescence）パネルであってもよい。
【００９０】
また、例えば、湾曲型表示装置２００は、液晶表示装置に限定されず、他の方式の表示装置であってもよい。湾曲型表示装置２００は、例えば、有機ＥＬパネルを使用した有機ＥＬ表示装置であってもよい。
【符号の説明】
【００９１】
２０，２０Ｊ，２０Ｎ  ＦＰＣ基板、１００  表示パネル、２００，Ｊ１  湾曲型表示装置、ＳＬ１，ＳＬ１ａ，ＳＬ１ｂ，ＳＬ２，ＳＬｎ  スリット、Ｔｍｄ  ダミー端子、Ｔｍｓ  信号端子、Ｔｍ１，Ｔｍ１ｎ，Ｔｍ２  端子部。
【図１】
2019152809.tif 000007
【図２】
2019152809.tif 000008
【図３】
2019152809.tif 000009
【図４】
2019152809.tif 000010
【図５】
2019152809.tif 000011
【図６】
2019152809.tif 000012
【図７】
2019152809.tif 000013
【図８】
2019152809.tif 000014
【図９】
2019152809.tif 000015
【図１０】
2019152809.tif 000016
【図１１】
2019152809.tif 000017